(57)【要約】【課題】  洗面器の落下を防止できるとともに、汚れ難いカウンターを提供すること。【解決手段】  浴室１０内の洗い場１１に設けられ上面に洗面器載置部２３が形成された洗い場カウンター２０の洗面器載置部２３を、洗い場１１側に下り傾斜になった平坦面部２４と、平坦面部２４の前縁部２３ａに沿って形成された複数の落下防止用突起２５突起とで構成した。【選択図】  図１
2008168037.tif 000002
【特許請求の範囲】
【請求項１】
浴室内の洗い場に沿って設けられ上面に洗面器載置部が形成されたカウンターであって、
前記洗面器載置部を、前記洗い場側に向って下る水勾配を有する平坦面部と、前記平坦面部における前記洗い場側の前縁部側部分に前記前縁部に沿って形成された複数の落下防止用突起とで構成したことを特徴とするカウンター。
【発明の詳細な説明】
【技術分野】
【０００１】
本発明は、浴室内の洗い場に設けられ上面に洗面器載置部が形成されたカウンターに関する。
【背景技術】
【０００２】
従来から、浴室の中には、洗い場における一方の壁面に沿ってカウンターが設けられたものがある。このようなカウンターを備えた浴室では、入浴者は、カウンターの上面に洗面器を置くとともにこの洗面器の中に湯水を溜め、この洗面器内に溜めた湯水を用いて体や髪を洗うことができる（例えば、特許文献１参照）。このカウンター（洗い場カウンター）では、カウンターの上面に洗面器載置部が設けられており、この洗面器載置部の表面に、浴室におけるカウンターが設置された側の壁面と平行する複数のリブが前後に並んで形成されている。そして、このリブによって、洗面器載置部に載せた洗面器が湯水に流されてずれ落ちることが防止される。
【特許文献１】特開２００１−６１７００号公報
【発明の開示】
【０００３】
しかしながら、前述した従来のカウンターでは、洗面器載置部に複数のリブが形成されているため、各リブ間に湯水が溜まり易くなって汚れも生じ易くなる。また、洗面器載置部における各リブの間が汚れた場合には、そのリブの間を清掃する際の作業もし難くなるという問題がある。
【０００４】
本発明は、前述した問題に対処するためになされたもので、その目的は、洗面器の落下を防止できるとともに、汚れ難いカウンターを提供することである。
【０００５】
前述した目的を達成するため、本発明に係るカウンターの特徴は、浴室内の洗い場に沿って設けられ上面に洗面器載置部が形成されたカウンターであって、洗面器載置部を、洗い場側に向って下る水勾配を有する平坦面部と、平坦面部における洗い場側の前縁部側部分に前縁部に沿って形成された複数の落下防止用突起とで構成したことにある。
【０００６】
前述のように構成した本発明のカウンターによれば、カウンターの表面に形成された洗面器載置部を、水勾配を有する平坦面部と、平坦面部の前縁部側に形成された複数の落下防止用突起とで構成しているため、平坦面部は汚れが付き難く、例え、汚れてもその汚れを清掃作業により容易に落とすことができる。また、洗面器載置部上から洗面器が湯水に流されそうになっても、落下防止用突起によって洗面器が洗面器載置部から滑って落下することを防止できる。
【０００７】
さらに、平坦面部の水勾配は、洗い場側に下る傾斜になっているため、洗面器載置部上の湯水を各落下防止用突起の間から洗い場に流すことができ、洗面器載置部上に湯水が溜まることを防止できる。また、この場合の洗面器載置部の平坦面部は平面で構成してもよいし勾配の緩やかな曲面で構成してもよい。要は平坦面部の表面に凹凸がなく水が溜まり難く汚れが付きにくい形状であればよい。
【０００８】
また、この場合、カウンターの前縁部を正面から見たときの左右方向の中央側が前方（洗い場側）に突出する円弧状に形成する場合には、平坦面部の水勾配を奥側中央部分から前方や左右両側の側方に向う放射状に形成することもできる。この場合、両側方部分よりも前方部分の高さを低くしておく。また、複数の落下防止用突起における洗面器載置部の中央側に対向する部分は、幅方向の中央側が奥側（洗面器載置部の中央側）に向って突出するように形成するか、または直線状に形成することが好ましい。これによると、落下防止用突起の奥側部分に水が溜まることを防止できる。
【発明を実施するための最良の形態】
【０００９】
以下、本発明の一実施形態を図面を用いて説明する。図１は同実施形態に係る洗い場カウンター２０を備えた浴室１０を示している。この浴室１０では、図示の手前側から向かって右側手前に設けられた床面が洗い場１１になっており、図示における洗い場１１の左側部分には、浴槽１２が長手方向を浴室１０の前後方向に沿わせて配置されている。また、浴槽１２の上面周縁部における奥右側の角部に、浴槽１２内に湯や水を供給するための水栓１３が設けられている。
【００１０】
そして、浴槽１２の奥側部分の右側には、浴槽１２の上面と略等しい高さに設定された洗い場カウンター２０が配置されている。また、浴槽１２および洗い場カウンター２０の後方に位置する壁面１４における洗い場カウンター２０の上方部分にはミラー１５が壁面１４に沿って取り付けられており、壁面１４におけるミラー１５の直下には、洗い場カウンター２０の上面に向けて湯や水を供給する水栓１６が設けられている。そして、壁面１４におけるミラー１５の右側部分には、２個の棚１７ａ，１７ｂが上下に間隔を保って設けられ、壁面１４におけるミラー１５の左側部分には、シャワー１８が設けられている。棚１７ａ，１７ｂには、それぞれ洗面用具や入浴用具を置くことができる。
【００１１】
特に限定されるものではないが、洗い場カウンター２０は、図２ないし図４に示したように、左右方向（洗い場カウンター２０を正面から見た状態での左右方向）の長さが浴槽１２の左右方向の長さ（幅）と略同じで、高さが浴槽１２の高さと略同じにされ、前後方向の長さ（幅）が高さと略同じにされた略矩形の台状に形成されている。そして、洗い場カウンター２０の上面における奥側部分（壁面１４側部分）と左右両側部分は、入浴者が体の洗浄や洗髪を行う際に、シャンプーや石鹸等の入浴用具を置くことのできる入浴用具載置部２１に形成され、中央側部分から中央前部側にかけて洗面器２２を置くことのできる洗面器載置部２３が形成されている。
【００１２】
入浴用具載置部２１は、図２に示したように平面視がコ字状に形成されており、奥側部分は前後方向の幅が小さく左右に長く形成されている。そして、入浴用具載置部２１の両側部分は左右対称に形成され、前後方向および左右方向の長さがともに奥側部分の前後方向の幅よりも長く左右方向の長さよりも短い略正方形に形成されている。この入浴用具載置部２１の上面は水平面で構成されており、上面にシャンプーや石鹸等の入浴用具を置いたときに、入浴用具が滑って移動することなく静止状態を維持できるように構成されている。
【００１３】
洗面器載置部２３は、入浴用具載置部２１の内部側に設けられ、前縁部２３ａが入浴用具載置部２１の前端よりも前方に突出している。すなわち、洗面器載置部２３の前部側部分は、全体的に入浴用具載置部２１の前端から前方に向って突出しており、その前縁部２３ａは、中央側部分が両側部分よりも前方に突出した円弧状に形成されている。また、洗面器載置部２３の上面の高さは、入浴用具載置部２１の上面の高さよりも低くなっており、洗面器載置部２３は、前部側が開放された凹部で構成されている。
【００１４】
この洗面器載置部２３は、平坦面部２４と、平坦面部２４の上面に前縁部２３ａに沿って一定間隔を保って形成された４個の落下防止用突起２５とで構成されている。平坦面部２４は、後部中央側から前部側および両側前部側に向って下る緩やかな水勾配が放射状に形成された平滑な略平面で構成されており、この水勾配によって、平坦面部２４に落下した湯水は平坦面部２４上に溜まることなく前縁部２３ａ側に流れて、前縁部２３ａから洗い場１１に落下していく。
【００１５】
落下防止用突起２５は、平面視が左右方向に長くなった長円形に形成され、平坦面部２４の表面から僅かに上方に突出した突部で構成されている。そして、各落下防止用突起２５は、長円形の長軸を水勾配の方向に対して略直交させるようにして、前縁部２３ａの近傍に前縁部２３ａに沿って形成されている。この落下防止用突起２５は、平坦面部２４上に置かれた洗面器２２が平坦面部２４上を流れる湯水とともに、前縁部２３ａ側に流れようとしたときに、洗面器２２の移動を制止して洗面器２２が洗い場１１に落下することを防止する。
【００１６】
また、平坦面部２４上を流れる湯水は、各落下防止用突起２５間を通過して洗い場１１に落下するため、平坦面部２４上に湯水が溜まることがなくなる。このため、平坦面部２４には汚れも付き難くなる。また、図３および図４に示したように、入浴用具載置部２１および洗面器載置部２３を支持する洗い場カウンター２０のカウンター本体２６の前面上端側部分と洗面器載置部２３の下面前部側部分との間には断面形状が略三角形の補強部２７が設けられている。
【００１７】
この構成において、入浴者が浴槽１２内の湯に浸かったのちに洗い場１１で体や髪を洗うときには、洗い場１１における洗い場カウンター２０の手前に椅子（図示せず）を置いて腰掛け、水栓１６やシャワー１８から供給される湯を使って体や髪を洗う。この場合、洗面器載置部２３の平坦面部２４上に洗面器２２を置き、水栓１６から供給される湯は、この洗面器２２内に取り込んで溜める。また、棚１７ａ，１７ｂに置いている石鹸やシャンプー等の入浴用具を適宜取り出して入浴用具載置部２１に置いて使用し、ひげを剃る際には、ミラー１５を見ながらひげ剃りを行う。
【００１８】
この場合、水栓１６やシャワー１８から出た湯水が洗面器載置部２３上に落下しても、その湯水は平坦面部２４上を前縁部２３ａ側に向って流れ洗い場１１に落下する。そして、洗面器２２は、平坦面部２４上を多量の湯水が流れても落下防止用突起２５によって洗面器載置部２３から落下することを防止される。また、平坦面部２４は滑らかな略平面状に形成されているため、汚れが付き難いとともに、例え、汚れが付いても清掃作業によりその汚れを容易に除去することができる。なお、入浴者が浴槽１２内の湯につかる際には、湯の温度を調節したり、湯量を追加したりするために水栓１３を使用することができる。
【００１９】
以上のように、本実施形態に係る洗い場カウンター２０によれば、洗い場カウンター２０の表面に形成された洗面器載置部２３を、水勾配を備えた略平面状の平坦面部２４と、平坦面部２４の前縁部２３ａ側に形成した複数の落下防止用突起２５とで構成しているため、平坦面部２４は汚れが付き難く、例え、汚れてもその汚れを清掃作業により容易に落とすことができる。また、平坦面部２４上を湯水が流れても落下防止用突起２５によって洗面器２２が洗面器載置部２３から滑って落下することを防止できる。さらに、平坦面部２４は、洗い場１１側に下り傾斜になっているため、平坦面部２４上の湯水を各落下防止用突起２５の間から洗い場１１に流すことができ、洗面器載置部２３上に湯水が溜まることを防止できる。
【００２０】
また、本発明に係るカウンターは、前述した実施形態に限定するものでなく適宜変更して実施することができる。例えば、前述した実施形態では、平坦面部２４の水勾配を、平坦面部２４の後部中央側から前部側および両側前部側に向かう放射状にしているが、この水勾配は、平坦面部２４の後部側から前部側に向って緩やかに下方に傾斜した平面で構成してもよい。また、前述した実施形態では、洗面器載置部２３の前部側部分を、入浴用具載置部２１の前端から前方に突出させ、その前縁部２３ａを、左右方向の中央側が両側部分よりも前方に突出した円弧状に形成しているが、この洗面器載置部２３の形状も適宜変更することができる。
【００２１】
例えば、この洗面器載置部２３の前部側部分は、入浴用具載置部２１の前端から前方に突出させず、入浴用具載置部２１の前端部と同じ位置になるようにしてもよい。また、前縁部２３ａも中央側が両側部分よりも前方に突出した円弧状でなく、直線状にしたり中央側が両側部分よりも後方に窪んだ円弧状にしたりすることもできる。その場合には、落下防止用突起２５もその前縁部２３ａの形状に合わせて配置する。また、本発明に係るカウンターのその他の部分についても、本発明の技術的範囲内で、適宜変更実施が可能である。
【図面の簡単な説明】
【００２２】
【図１】本発明の一実施形態に係るカウンターを備えた浴室の内部を示した斜視図である。
【図２】カウンターの洗面器載置部に洗面器を置いた状態を示した平面図である。
【図３】カウンターを示した正面図である。
【図４】カウンターを示した側面図である。
【符号の説明】
【００２３】
１０…浴室、１１…洗い場、２０…洗い場カウンター、２２…洗面器、２３…洗面器載置部、２３ａ…前縁部、２４…平坦面部、２５…落下防止用突起。
【図１】
2008168037.tif 000003
【図２】
2008168037.tif 000004
【図３】
2008168037.tif 000005
【図４】
2008168037.tif 000006